(57)【要約】【課題】ベビースリングにおいて、密着可能な調節部をポーチのレール部の内側に沿って設けることで使用者と子供が子供の視界を損なわずに簡単に密着出来、使用者が子供を快適かつ安全に保持することが可能なベビースリングを提供する。【解決手段】使用者の肩部にスリングの肩パッド９がくるようにたすき掛けに装着される。また子供２を抱っこする場合はポーチ１０に子供２を入れたあと、ポーチ１０のレール部１１の内側に沿って設けてある調節部の紐５を引っ張り、布幅の長さを狭くすることで密着できるように締めて留め具６で固定する。このようにすることで、使用者と子供の間に余計な隙間がなく密着可能となり、子供２の反りかえり防止の軽減にもなる。子供２の頭（大きくなってくれば肩や脇部分）や脚にもクッション材３があるため、長時間の抱っこでも快適に過ごせる。またベビースリングの布の厚さによってはクッション材３が入っていなくても、布が子供２に食い込むこともなく快適に過ごせる。【選択図】図１
2006045749.tif 000002
【特許請求の範囲】
【請求項１】
ポーチ部のレール部の内側に沿って締め紐を取りつけたことを特徴とするベビースリング。
【請求項２】
ポーチ部のレール部分にクッション材を取りつけた請求項１記載のベビースリング。
【発明の詳細な説明】
【技術分野】
【０００１】  この発明は育児に用いられ、ハンモック型子守帯で、親の肩からたすき掛けするタイプのベビースリングの構造に関する（以下、スリングと記載する）。
【背景技術】
【０００２】  主として、子供を抱っこしたりおんぶしたりするための補助具として子守帯（「おんぶひも」とか「だっこひも」「ベビーキャリアー」等と総称することがある）がある。この子守帯には様々な種類があり形態で見ると、子供をバッグの中に収めるバック式（「リュックサック式」とか「カンガルー式」等と称されることもある）のものと、主として、ベルト状のもので子供の体を親の体に縛り付ける形態の縛り式（「オープン式」と称されることもあり単に、「おんぶひも」とか「だっこひも」「だっこバンド」等と称されることもある）のものと、１枚の布をハンモック状の子守帯にしたベビースリング（布製子守帯で主に「リングあり」と「リングなし」の２種類に分けられる）に大別できる。「リングなし」とは１枚の布を輪にしているもので長さの調節が出来ないが「リングあり」というのは１枚の布を２本のリングに通して輪にするものでテールを引く事で長さ調節が可能である。【０００３】  バッグ式の子守帯は子供の胴体部分を収めるバッグと、このバッグを肩で吊るためのショルダーベルトや腰に固定するためのウエストベルト等から構成されていて、通常はウエストベルト等の留め具がバックル留めになっている。また、通常の縛り式子守帯は、子供の背中にあてがう背当てシートとその子供の脚の付け根辺りを通す脚通し部と背当てシートから左右に延びて親の体にその肩越しに巻きつける縛りベルト等から構成されている。【０００４】  一方、スリングは面倒なバックル留めや縛りベルト等がなく、親がスリングを肩からたすき掛けにし、ポーチに子供を入れるだけで簡単に装着できる。ポーチとは子供を入れる部分で布の一番幅広になっている袋状の部分のことをいう。【０００５】  バッグ式や縛り式の子守帯は親の肩部にあたる紐やベルトが比較的、幅狭なため、長時間使用するとベルトが親の肩へ食い込み、肩こりや頭痛を起しやすい傾向にある。またバックル等でいかにも子供が入れ込められてる状態は、子供にとっても長時間は辛いもので、中には初めから装着を嫌がる子供もいる。やむなく親が嫌がる子供にバッグ式や縛り式の子守帯を使って抱っこする場合もバックル留め等が愚図りにより大変になる。【０００６】  バッグ式や縛り式の子守帯に対し、スリングは１枚布で出来ており、面倒なバックル留めもない。新生児の場合の横抱き（「ゆりかご抱き」とも言われる）に関しては母親のお腹の中に入るような抱っこ（「第二の子宮」と呼ばれる）になるので、子供も安心できる。また、肩幅の布が広いので、その分、重さが分散されて親も肩凝りや頭痛に悩まされることが少ない。しかも子供の頭（大きくなれば脇や肩部分）や脚にあたるレール部と親の肩にあたる部分にはあたりがいいようにクッション材を入れており、より快適さを追求している。なお、携帯性やコンパクト性を重視したスリングにおいては子供の頭や脚にあたるレール部分や親の肩にあたる部分にはクッション材である綿の入っていないものもある。レール部とはポーチ部の両端部のことをいう。【０００７】  スリングで抱っこしていれば、授乳するときもわざわざスリングから下ろす事もなくスリングで授乳し易いように抱っこした状態で授乳出来、スリング自体が授乳の目隠しにもなる。また寝てしまっても、そのまま親が子供をスリングに入れたまま下ろし、スリングから親が頭を抜くことで子供を起こすことなく、またスリングがタオルケット代わりになるといった多くの利点がある。
【発明の開示】
【発明が解決しようとする課題】
【０００８】  ところが、従来の「リングなし」スリングはテールを引くことで調節出来る「リングあり」のようにスリングの長さの調整や抱っこしたときの布幅の調整が出来ない。長さは親のサイズで合うものを使えば問題ないが、布幅の調整が出来ないと、主に縦に抱く場合、子供の体型によって装着しても親と子供の間に余計な隙間が出来る状態になり、密着度を感じられない。【０００９】  また「リングあり」の場合も使い始めの頃はテールの締め方にコツがいるため、なかなか思うように長さ調整が出来ず子供とのよりよい抱っこの位置が確保出来ず密着がとりにくい場合がある。【００１０】  「リングあり」も「リングなし」も子供を抱っこして、子供がポーチに収まったときに親との密着感がないと不安定になり、子供によっては後ろに仰け反る子供もおり、よって親と子供の間に余計な隙間がある状態になっていると親も腰を反る体制になり易く、腰を痛める原因ともなる。また子供が反りかえるといった状態になると最悪、ずり落ちてしまう大変危険な状態に置かれることも考えられる。【００１１】  勿論、「リングあり」の場合はテールで長さや幅の調整が出来るので慣れていなくても装着して抱っこやおんぶをする際に子供を支えてくれる介助者がいればそれほど難儀することもないが、今日の家族構成ではそのような者の手助けが得られることは極めて少なく、また外出先ではどうしても単独で処理しなければならないため、スリングの良さは分かっていても使いこなせないまま、箪笥のこやしになる場合もある。【００１２】  本発明は上記した従来の問題点を解決するためのものであり、子供を抱っこ・おんぶする際の親との密着度を子供の機嫌を損ねず、なおかつ子供の視界は狭めずに簡単に行う事が出来、親と子供が密着出来る抱っこのよりよい位置をすばやく見出せる調節部を設けたベビースリングを提供することを目的とする。
【課題を解決するための手段】
【００１３】  この目的を達成するために、本発明は子供を抱っこした時に、ポーチのレール部より内側に沿って調節部の紐を通す調節部を取り付け、それにより調節部に空洞が出来たところで紐を通し例えば両側に留め具を設ける。（この留め具とは主に、プラスチック製で紐を通す穴があり、突起部を押すと紐を通す穴が貫通する形状になり突起部を押してる手を離すと紐を通す穴がふさがり、紐が留まる仕組みになっている。）そして片側を固定させた状態で、子供の入ったポーチ部の布を締めるときは、片手は子供の背中に添えたままで、空いているもう片方の手で紐を引っ張って締めることで布にギャザーが寄るので密着可能となる。（これは左手で子供の背中に手を添えていれば右手で締めることができ、右手が子供の背中に添えられていれば左手で締めれるといったように両側どちらからでも締めることが可能である。）緩めるときは留め具を片手で緩めることで簡単に操作できる。また、左右どちらの肩に親が装着しても使用可能にするようにポーチ部のレール内側に其々取りつけるのがより望ましい。【００１４】  このように調節部を設けることにより、従来のように親と子供の間に余計な隙間が出来ず密着でき、かつレール部の幅、例えばクッション材がある場合にはクッション材の幅は締めていないので子供の視界を阻むこともなく、それゆえ子供は圧迫感を感じないで密着可能となり、調節部の紐や留め具等があたって痛いということもない。子供が反りかえりそうになっても紐で締めて親と密着していることで反りかえりも軽減でき、親の腰の負担も減り、子供のずり落ち防止にもなる。【００１５】  上記スリングにおいて調節部を締めるときは片方の手は子供の背中に添えたままで空いている片方の手で紐を引っ張ることが出来、緩めるときは留め具の突起部を押えて緩めるだけという片手操作が可能となるため、抱っこしていても、授乳するときや横抱きにする場合など、密着を解きたいときはすぐに片手で緩めることが出来、子供の機嫌を損ねることもない。特に留め具を紐の両側に設けた場合には、左手右手どちらか親が使い易い片側のみの操作が可能になる。
【発明の効果】
【００１６】  この発明に基づいたスリングによれば、子供と親との密着が簡単に、かつ子供の視界を狭めることなくクッション材の快適さもそのままで実現でき、子供の反りかえりを軽減し、より安全に使用することが可能になる。
【発明を実施するための最良の形態】
【００１７】  以下、この発明に基づいた実施の形態におけるスリング１００・２００について図１および図５を参照しながら説明する。尚、図１は親１が本実施の形態におけるスリング１００を装着して調節部を締めている状態を示す全体図であり、図２は親１が本実施の形態におけるスリング１００を装着して調節部を締めていない状態を示す全体図、図３はスリング１００を二つ折りにして上から見た図でひっくり返してみても対照になっている。図４はスリング２００を二つ折りにして上から見た図で、図５は本実施の形態におけるスリングのクッション材や調節部の構造を示す部分の展開図である。図６は図３を縦二つに割ったときの断面図で左右対照になっているのが示されている。図７は図４を縦二つに割ったときの断面図でリング７とテール８を除いては左右対照になっている。【００１８】  まず、本実施の形態におけるスリング１００（リングなし）と２００（リングあり）の構成はスリング１００・２００に適している布で形成されており、親１の肩部において、スリング１００・２００の肩パッド９がくるようにたすき掛けするように装着される。子供２は布幅の一番広いポーチ部１０に入れて抱っこし、ポーチ部１０の両端はレール１１と呼ばれるが、そのレール１１の子供の背中（生まれて数ヶ月までなら頭部分・ある程度大きい月齢になれば脇や肩部分）や脚にあたる部分にはクッション材３、例えば綿などを入れ、長時間の抱っこでも子供２に布が食い込んで痛いということも防ぐことが出来、快適に過ごすことが出来るようにした。
スリング１００は肩パッド９が親１の肩部にくるようにたすき掛けに装着する。
スリング２００はまず２本のリング７にリング７が固定されていない方の布を通し、次にリング７  一本一本の間を戻るような形で通すことでベルトのように固定することで輪にし肩パッド９が親１の肩部にくるように装着するが、そのときリング７から出ている布部分をテール８といい、テール８を引くことで親１と子供２の抱っこのより良い位置が見出せる。リング７はステンレス製やプラスチック製があるが共に子供２を抱っこする重さに充分耐えられるものを使用している。【００１９】  親１の肩部にあたる肩パッド９にもクッション材を入れて、クッション性を持たせているので親１の肩にかかる負担も軽減できる。調節部は、例えば綿入りであるクッション３の内側に沿って調節部用の布４を取り付け、紐５を通し、留め具６を取りつけて左右どちらか引き易い側の例えばアクリル製の紐５を引っ張ることで調節できるようにしている。クッション３の内側部分とは子供２を抱っこしたときに子供２の背中の脇あたり（新生児から数ヶ月位は頭部分）にくる位置で、レール１１の端１１ａから１０ｃｍ〜１２ｃｍ程度内側の範囲のところに調節部用の布４の一辺４ａがくるように取りつけるのが望ましい。反対側（脚にあたる部分）も背中部分にあたる位置に設けた調節部の布４と対称な位置に取りつけることにより、親１がどちらの肩に装着しても使用可能となる。【００２０】  調節部用の布４はスリング１００・２００のクッション材３より内側に沿って、長い方の布の両側と真中を例えば糸で縫うことにより平行に等間隔で固定するように取り付け、空洞が出来たところで紐５を調節部用の布４に通し両端を留め具６で固定する。そのようにすることで紐を引っ張らない方の片側は固定されることになる。（図５・図１０・図１１）この留め具６とは主に、プラスチック製で紐５を通す穴があり、突起部１２を押すと紐５を通す穴１３が貫通する形状になっており突起部１２を押してる手を離すと紐５を通す穴１３がふさがり、紐５が留まる仕組みになっている。（図８・図９）
また、紐５は細すぎると紐５を留めている留め具６も、紐５が穴１３をすり抜けて締めつけを緩めることもあると考えられ、太すぎると穴１３に紐５が２本同時に通らないという事態も起こりうるので、直径３ｍｍ〜５ｍｍ位の太さの紐５が好ましい。【００２１】  紐５を引っ張り留め具６で固定することにより、布にギャザーを寄せることで締めることが出来（図１）、また、留め具６を緩めると布のギャザーを緩めたりすることが容易に出来る。（図２）締めるとポーチ部分１０の子供の背中にあたる布を寄せることが出来、親１と子供２の間に余計な隙間が無くなり、親１との密着が可能となる。またレール１１やクッション３の布は締めていないので子供２の視界を圧迫することなく快適に密着可能となる。【００２２】  上記構成からなるスリング１００・２００の使用状態においては図１に示すように親１の肩部にスリングの肩パッド９が来るようにたすき掛けにするように装着される。また子供２を抱っこする場合にはポーチ１０に子供２を入れた後、紐５を左右引き易い側の手で密着出来るまで締め、留め具６で固定することにより親１と子供２の間に余計な隙間が無く密着できるようにすることが可能となる。【００２３】「実施形態の効果」
以上、本実施の形態におけるスリングによれば調節部を設けることでより親との密着を簡単に、かつ子供の視界を狭めることなくクッション部分の快適さもそのままで実現でき、子供の反りかえりを軽減し、より安全に使用することが可能になる。リングありスリング２００においては初めにある程度はテールで締めておいて、すなわち粗調整をしておいてもう少し締めたいときに調節部の紐で締める、すなわち微調整をすると簡単に思い通りの密着がはかれる。【００２４】  尚、この明細書で言う「子供」とはスリングを使用して抱っこ等をされる者の総称であり、「親」とはスリングを使用して抱っこ等をする者の総称である。【００２５】「他の実施形態」
以上、本発明は一つの実施の形態について説明したが、本発明の具体的な構成はこの実施の形態に限られるものではなく、次のような別の形態を含めて、本発明の要旨を逸脱しない範囲における設計の変更などがあっても本発明に含まれる。【００２６】  図面に示した実施の形態においてはポーチ１０の両側のレール部１１のクッション材３の入っている部分より内側に沿って調節部の紐５を通す調節部を設けたが利き肩が一定であれば、子供の背中にあたる部分片側にのみ設けるようにしても良く、このようにしても子供との密着には充分な効果がある。【００２７】  また、図面に示した実施の形態においてはポーチ１０の両側のレール部１１にクッション材３を設けたスリングであるが、スリングの布の厚さやコンパクト性を重視するスリングによってはクッション材３を入れていなくてもよく、それでも尚、密着には充分な効果がある。【００２８】  図面の示した実施の形態においては調節部用の布の空洞が出来たところに各々１本ずつ紐を通し各々両端の紐を同時に留め具で固定するようにしているが、左右どちら側の手で紐を引っ張るかが一定であれば、図１２のように紐を引く側の端を留め具で留めるように１本の紐を往復する形で通しても充分な効果がある。【００２９】  図面の示した実施の形態においては留め具の穴は１つのものを使用しているが、紐の本数によっては２つ穴以上の留め具を使用しても効果に変わりはない。【００３０】  図面の示した実施形態においては調節部用の布の取りつけ方法は布の長い方の両端と真中を等間隔で固定するように取りつけて空洞を２つ設けているが、図１３のように真中部分の取りつけは布の両端部分のみ２つの穴を作るように固定し、中の空洞は一つにして紐２本を通しても布を狭める効果は充分ある。しかし、ギャザーを美しく出すよう見た目を良くするためには真中も固定して２つの空洞を作って紐を通す方が望ましい。また、ギャザーを寄せることが出来れば空洞は２つまでと固執することはなくそれ以上でも構わない。【００３１】  上記スリングにおいては、締めたり緩めたりが自由自在なため、抱っこしていても、授乳するときや横抱きにする場合はすぐに片手で緩めることが出来、簡単操作のため子供の機嫌を損ねることなく状況に応じてすぐに締めたり緩めたりが可能になる。
【図面の簡単な説明】
【００３２】
【図１】図３に示すスリングに子供を保持させ調節部を締めた状態を示す平面図である。
【図２】図３に示すスリングに子供を保持させ調節部を緩めた状態を示す平面図である。
【図３】本発明の実施の形態に係る「リングなしスリング」１００を二つ折りにした平面図である。
【図４】本発明の実施の形態に係る「リングありスリング」２００を二つ折りにした平面図である。
【図５】図３・図４に示すスリングに調節部を取りつける部分を示す拡大図である。
【図６】図３に示す「リングなしスリング」１００の断面図である
【図７】図４に示す「リングありスリング」２００の断面図である
【図８】留め具６の拡大図である。
【図９】図８に示す留め具６の突起部を押して穴が貫通した状態の拡大図である。
【図１０】図５に示すスリングに調節部を取りつけた部分の拡大図である。
【図１１】図１０の断面図である。
【図１２】調節部の紐を往復に通し、片側のみを留め具で固定した図である。
【図１３】調節部の布を真中は両端部分を縫い中は一つの空洞にした場合の図である。
【符号の説明】
【００３３】１００  リングなしスリング    ２００  リングありスリング
１  親    ２  子供    ３  クッション材    ４  調節部用の布    ５  紐
６  留め具    ７  リング    ８  テール    ９  肩パッド    １０  ポーチ
１１  レール    １２  突起部    １３  穴    １４  縫い合わせ用の糸
４ａ  調節部用の布の端    １１ａ  レールの端
【図１】
2006045749.tif 000003
【図２】
2006045749.tif 000004
【図３】
2006045749.tif 000005
【図４】
2006045749.tif 000006
【図５】
2006045749.tif 000007
【図６】
2006045749.tif 000008
【図７】
2006045749.tif 000009
【図８】
2006045749.tif 000010
【図９】
2006045749.tif 000011
【図１０】
2006045749.tif 000012
【図１１】
2006045749.tif 000013
【図１２】
2006045749.tif 000014
【図１３】
2006045749.tif 000015